【事件の表示】
　特許第５７５６９４４号「写真撮影遊戯機，写真撮影遊戯方法及び写真撮影遊戯機の制御プログラム」の請求項１ないし４に係る特許に対する特許異議の申立てについて，次のとおり決定する。
【結　論】
　特許第５７５６９４４号の請求項１ないし４に係る特許を維持する。
【理　由】
第１　手続の経緯
　特許第５７５６９４４号の請求項１ないし４に係る特許（以下「本件特許」という。）についての出願は，平成２２年８月１９日に出願した特願２０１０−１８４１５５号の一部を平成２３年１２月２６日に新たな特許出願とした特願２０１１−２８２６１０号の一部を平成２６年４月１６日にさらに新たな特許出願（特願２０１４−８４０９４号）としたものであって，平成２７年６月１２日に本件特許の設定登録がされ，その後，平成２８年１月２６日に本件特許に対し，特許異議申立人により特許異議の申立てがされたものである。
第２　本件発明
　本件特許の請求項１ないし４に係る発明は，それぞれ，その特許請求の範囲の請求項１ないし４に記載された事項により特定される次のとおりのものである。
「【請求項１】
　カメラを備えた写真撮影遊戯機であって，
　前記カメラを制御して被写体を撮影し，複数の第１写真画像を生成する第１撮影制御手段と，
　第１写真画像が配置される複数の第１配置領域と，コラージュ合成画像専用の第２写真画像が配置される第２配置領域と，背景画像とを有し，前記第１写真画像よりも大きな画像サイズを有するレイアウト画像を表示するレイアウト表示手段と，
　前記カメラを制御して前記被写体全体を撮影し，前記第２写真画像を生成する第２撮影制御手段と，
　前記被写体による前記第１写真画像及び前記第２写真画像を配置する操作を介さずに，前記複数の第１写真画像のうちの一部の枚数の第１写真画像を前記第１配置領域に配置し，前記第２写真画像に含まれる被写体全体を前記第２配置領域に配置した第３写真画像を自動生成する生成手段と，
　を備える写真撮影遊戯機。
【請求項２】
　請求項１に記載の写真撮影遊戯機であって，
　前記一部の枚数の第１写真画像は，前記被写体の上半身が撮影された写真画像である，写真撮影遊戯機。
【請求項３】
　カメラを備えた写真撮影遊戯機を用いた写真撮影遊戯方法であって，
　前記カメラを制御して被写体を撮影し，複数の第１写真画像を生成するステップと，
　第１写真画像が配置される複数の第１配置領域と，コラージュ合成画像専用の第２写真画像が配置される第２配置領域と，背景画像とを有し，前記第１写真画像よりも大きな画像サイズを有するレイアウト画像を表示するステップと，
　前記カメラを制御して前記被写体全体を撮影し，前記第２写真画像を生成するステップと，
　前記被写体による前記第１写真画像及び前記第２写真画像を配置する操作を介さずに，前記複数の第１写真画像のうちの一部の枚数の第１写真画像を前記第１配置領域に配置し，前記第２写真画像に含まれる被写体全体を前記第２配置領域に配置した第３写真画像を自動生成するステップと，
　を備える写真撮影遊戯方法。
【請求項４】
　カメラを備えた写真撮影遊戯機に搭載されたコンピュータに，
　前記カメラを制御して被写体を撮影し，複数の第１写真画像を生成するステップと，
　第１写真画像が配置される複数の第１配置領域と，コラージュ合成画像専用の第２写真画像が配置される第２配置領域と，背景画像とを有し，前記第１写真画像よりも大きな画像サイズを有するコラージュ合成画像用のレイアウト画像を表示するステップと，
　前記カメラを制御して前記被写体全体を撮影し，前記第２写真画像を生成するステップと，
　前記被写体による前記第１写真画像及び前記第２写真画像を配置する操作を介さずに，前記複数の第１写真画像のうちの一部の枚数の第１写真画像を前記第１配置領域に配置し，前記第２写真画像に含まれる被写体全体を前記第２配置領域に配置した第３写真画像を自動生成するステップと，
　を実行させる制御プログラム。」（以下，本件特許の請求項１ないし４に係る発明をそれぞれ「本件発明１」ないし「本件発明４」といい，「本件発明１」ないし「本件発明４」を総称して「本件発明」という。）
第３　申立の理由の概要
　（１）特許異議申立人は，下記の甲第１及び２号証を提出し，請求項１ないし４に係る特許は特許法第２９条第２項の規定に違反してなされたものであるから，請求項１ないし４に係る特許を取り消すべきものである旨主張している。
　甲第１号証：特開２００８−７８８１０号公報（以下「引用例１」という。）
　甲第２号証：特開２００７−１０４３３６号公報（以下「引用例２」という。）
　（２）特許異議申立人は，請求項１に係る発明について，「被写体による前記第１写真画像及び前記第２写真画像を配置する操作を介さずに」との具体的構成が，発明の詳細な説明に何ら記載されていないことから，発明の詳細な説明は，その実施をすることができる程度に明確かつ十分に記載したものでなく，特許法第３６条第４項第１号の要件を満たしていないから，請求項１に係る特許を取り消すべきものである旨主張している。
第４　引用例の記載
　（１）引用例１
　本件の出願前に頒布された刊行物である引用例１には，次の事項が図とともに記載されている（下線は当審で付した。以下同じ。）。
　ア　「【技術分野】
【０００１】
　本発明は，写真シール作成装置および方法，並びにプログラムに関し，特に，娯楽性を向上させることにより利用者の満足度を向上させ，収益性を向上させることができるようにした写真シール作成装置および方法，並びにプログラムに関する。」
　イ　「【課題を解決するための手段】
【００１３】
　本発明の側面は，利用者を被写体として撮影し，得られた画像に対して利用者に落書き編集入力を行わせ，前記画像を所定のシールシートに印刷して写真シールを作成し，成果物として前記写真シールを前記利用者に提供する写真シール作成装置であって，前記利用者を被写体として撮影する撮影手段と，前記利用者の入力に基づいて，前記撮影手段の撮影により得られた撮影画像に対する落書き編集を行う第１の編集手段と，前記撮影画像，または，前記第１の編集手段により落書き編集が行われた編集済み画像を，組み合わせ画像として選択する組み合わせ画像選択手段と，前記組み合わせ画像選択手段により選択された複数の前記組み合わせ画像を，所定の領域内に，任意の位置，大きさ，角度，および重ね順で配置して合成し，１枚の合成画像を作成する合成画像作成手段と，前記利用者の入力に基づいて，前記合成画像作成手段により作成された前記合成画像に対する落書き編集を行う第２の編集手段と，少なくとも，前記第２の編集手段により落書き編集が行われた編集済み合成画像を前記シールシートに印刷する印刷手段とを備える写真シール作成装置である。
【００１４】
　この写真シール作成装置の，撮影手段は，例えば，撮影処理部により構成され，第１の編集手段は，例えば，落書き編集部により構成され，組み合わせ画像選択手段は，例えば，組み合わせ画像選択部により構成され，合成画像作成手段は，例えば，組み合わせプリ作成部により構成され，第２の編集手段は，例えば，組み合わせプリ落書き編集部により構成され，印刷手段は，例えば，印刷処理部により構成される。
【００１５】
　本発明の写真シール作成装置においては，利用者が被写体として撮影され，利用者の入力に基づいて，撮影画像に対する落書き編集が行われ，撮影画像，または，編集済み画像が，組み合わせ画像として選択され，選択された複数の組み合わせ画像が，所定の領域内に，任意の位置，大きさ，角度，および重ね順で配置されて合成され，１枚の合成画像が作成され，利用者の入力に基づいて，その合成画像に対する落書き編集が行われ，少なくとも，その落書きが行われた編集済み合成画像がシールシートに印刷される。
【００１６】
　組み合わせ画像は，組み合わせプリを作成するための画像である。
【００１７】
　組み合わせプリは，写真シール作成装置においてプレイされる写真シール作成ゲームの撮影作業により得られる撮影画像等と同様に，落書き編集の対象とされる編集対象画像として利用される画像である。この組み合わせプリは，複数の組み合わせ画像を，所定の領域内に，任意の位置，大きさ，角度，および重ね順で配置し（すなわち，任意のレイアウトで配置し），合成する（組み合わせる）ことにより作成される面白みのある画像である。
【００１８】
　組み合わせ画像は，この組み合わせプリの作成の際に，領域内に配置する（合成させる）画像として利用者等に選択された画像である。利用者は，その時点において存在する，撮影画像，その撮影画像に対して行われた落書き編集が反映された編集済み画像，および，以前に作成された組み合わせプリ等の中から，組み合わせ画像として利用する画像を選択する。
【００１９】
　従って，写真シール作成装置は，複数の撮影画像や編集済み画像を組み合わせて利用し，落書き編集や写真シールへの印刷を行うことができる。これにより，利用者の嗜好に応じた面白みのある画像を作成することができる。さらに，利用者は，編集済み画像を組み合わせて生成した組み合わせプリ全体に対してさらに落書き編集を行うことができるので，より面白みのある落書き編集を行うことができる。つまり，写真シール作成装置は，娯楽性を向上させ，利用者の満足度を向上させ，収益性を向上させることができる。」
　ウ　「【発明の効果】
【００３７】
　本発明によれば，写真シール作成装置の収益性を向上させることができる。特に，写真シールの作成プレイの娯楽性を向上させ，利用者の満足度を向上させることにより，収益性を向上させることができる。」
　エ　「【０１０３】
　カメラ７１は，上述したように，前方ユニット１２Ａの正面１２Ａ−１の中央付近に設けられ，制御装置１０１に制御されて撮影空間３２内の被写体（利用者）の撮影を行う。例えば，カメラ７１は，制御装置１０１の制御の下，取得画像を画像データとして制御装置１０１に供給する。また，
カメラ７１は，制御装置１０１より供給されるシャッタ制御信号に基づいて，メカシャッタを動作させる等して，撮影画像の取得を行う。
　オ　「【０１１１】
　次に，制御装置１０１について説明する。図９は，制御装置１０１が有する機能ブロックの構成例を示す図である。図９に示されるように，制御装置１０１は，写真シール作成ゲームを開始する際に投入される代金（硬貨）に関する処理を行う硬貨投入受付処理部１６１，撮影作業や編集作業の前に，利用者を接客する事前接客処理部１６２，利用者等を撮影する撮影作業に関する処理を行う撮影処理部１６３，撮影画像に対する編集作業に関する処理を行う編集処理部１６４，写真シールへの画像印刷に関する処理を行う印刷処理部１６５，および，編集作業を終了した利用者を接客する事後接客処理部１６６を有する。
【図９】
【０１１２】
　編集処理部１６４は，撮影画像取得部１７１，事後接客内容選択部１７２，編集入力画面制御部１７３，落書き編集部１７４，パターン選択部１７５，組み合わせ画像選択部１７６，組み合わせプリ作成部１７７，組み合わせプリ落書き編集部１７８，および，分割数選択部１７９を有する。
・・・略・・・
【０１１７】
　詳細については後述するが，編集入力画面においては，撮影画像が編集対象画像として表示され，利用者の操作により落書き編集が行われる。このとき，通常の場合，各撮影画像は，互いに異なる編集対象画像として表示される。つまり，図１０Ａに示されるように，１枚の編集対象画像２０１は，１枚の撮影画像により構成される。従ってこの場合，利用者は，各編集対象画像（各撮影画像）を１枚ずつ落書き編集する。
【図１０】
【０１１８】
　これに対して，組み合わせプリは，撮影画像や編集済み画像よりなる複数の組み合わせ画像を，所定の領域内に，任意の位置，大きさ，角度，および重ね順で配置し（すなわち，任意のレイアウトで配置し），合成した（組み合わせた）合成画像であり，１枚の編集対象画像として利用される。例えば，図１０Ｂに示されるように，組み合わせプリ２０２の画像領域内には，撮影画像２１１乃至撮影画像２１３が配置される。このように，組み合わせプリは，複数の組み合わせ画像を組み合わせて生成され，その画像領域内に複数の組み合わせ画像を有する１枚の画像であり，他の撮影画像と同様に，１枚の編集対象画像として利用される画像である。
【０１１９】
　つまり，利用者は，図１０Ｂに示されるように，撮影画像２１１乃至撮影画像２１３を組み合わせて生成した組み合わせプリ２０２全体に対してさらに落書き編集を行うことができ，より面白みのある落書き編集を行うことができる。
・・・略・・・
【０１２２】
　写真シールには，通常，図１１に示されるように，複数の編集済み画像が印刷される。図１１において，写真シール２２０に描かれた四角枠は，それぞれ，編集済み画像（撮影画像も含む）を示している。つまり，写真シール２２０には，撮影作業および編集作業により作成された複数の編集済み画像（編集を省略した撮影画像も含む）が所定のパターンで隙間無く（若しくは所定の間隔で）並べられて（１枚の画像が複数配置されることも含む）印刷される。このとき，組み合わせプリも，他の編集済み画像と同様に処理されて（１枚の編集済み画像として）印刷される。
【０１２３】
　パターン選択部１７５は，組み合わせ画像のレイアウト（画像配置）のパターン（型）を，利用者に，予め用意された複数のパターンの中から選択させる。写真シール作成装置１には，写真シール作成ゲームの制限時間内において，利用者が容易に組み合わせプリを作成することができるように，このレイアウトパターンの候補が所定の数予め用意されており，パターン選択部１７５は，編集部１１３を制御し，利用者にこの候補を提示し，その中から使用するパターン（組み合わせ画像を所定の領域内に配置する際の，その領域内における位置，大きさ，角度，および重ね順の型）を選択させる。
【図１１】
【０１２４】
　図１０Ｂにその一例を示しているが，組み合わせ画像のレイアウト（位置，大きさ，角度，画像数，画像同士の重ね方等）は，基本的にどのようなものであってもよい。なお，
例えば，図１０Ｂに示されるように，組み合わせプリ２０２の，撮影画像２１１乃至撮影画像２１３が配置されていない領域には，背景画像が表示されるようにしてもよい。
【０１２５】
　
組み合わせ画像選択部１７６は，利用者に組み合わせ画像を選択させる。
　カ　「【０１３１】
　次に，写真シール作成ゲームの流れについて，図１２のフローチャートを参照して説明する。
【図１２】
【０１３２】
　写真シール作成ゲームを行う利用者は，最初に，事前接客領域３１において，事前接客ユニット１１の硬貨投入排出部にコインを投入し，ゲームの代金を支払う。制御装置１０１の硬貨投入受付処理部１６１は，ステップＳ１において，このような硬貨投入を受け付け，正当な代金が投入されたと判定した場合，処理をステップＳ２に進める。
【０１３３】
　ステップＳ２において，事前接客処理部１６２は，事前接客ユニット１１の各部を制御し，写真シール作成ゲームの最初の工程である事前接客作業を，事前接客領域３１の利用者に行わせる事前接客処理を実行する。事前接客処理において，事前接客作業が終了すると，利用者は，撮影空間３２への移動を案内される。利用者は，撮影空間３２に移動し，ゲームを進行させる。ステップＳ３において，
撮影処理部１６３は，撮影空間３２に移動した利用者に対して撮影処理を行い，撮影画像を得
【０１３４】
　撮影処理において，撮影作業が終了すると，利用者は，第１編集空間３３Ａまたは第２編集空間３３Ｂへの移動を案内される。利用者は，案内された方の編集空間３３に移動し，ゲームを進行させる。ステップＳ４において，編集処理部１６４は，第１編集空間３３Ａまたは第２編集空間３３Ｂに移動した利用者に対して，その空間に対応する編集インタフェース部を用いて編集処理を行い，撮影空間３２における本撮影により得られた合成撮影画像に対する，ペン入力やスタンプ入力等の落書き編集作業や組み合わせプリの作成作業を行わせ，編集済み画像（組み合わせプリも含む）を得る。編集処理の詳細については後述する。
・・・中略・・・
【０１３７】
　次に，図１２のステップＳ４において実行される編集処理の詳細の流れの例を，図１３のフローチャートを参照して説明する。必要に応じて図１４を参照して説明する。なお，この編集処理は，実際には，第１編集空間３３Ａまたは第２編集空間３３Ｂのうち，図１２のフローチャートに対応する写真シール作成ゲームをプレイする利用者が移動した方の編集空間に対して実行される（編集部１１３が，第１編集インタフェース部１３Ａ若しくは第２編集インタフェース部１３Ｂのいずれか一方に対応することになる）が，いずれの編集空間に対する場合も同様の処理が実行されるので，以下においては説明の簡略化のため，利用者が第１編集空間３３Ａに移動したか第２編集空間３３Ｂに移動したかを特に明言せずに，編集空間３３に移動したものとして説明する。
【図１３】
【０１３８】
　編集処理が開始されると，編集処理部１６４の撮影画像取得部１７１は，ステップＳ２１において，撮影部１１２において得られた撮影画像を取得する。
【０１３９】
　事後接客内容選択部１７２は，ステップＳ２２において，８２に，事後接客における作業内容を利用者に選択させるGUI画面を表示させ，事後接客内容を利用者に選択させる。写真シール作成装置１は，編集作業を終了した利用者に対して，画像印刷が終了するまで飽きさせないように，事後接客作業として，例えば，ミニゲーム，携帯型電話機等への画像転送，および人気投票等のような予め定められた所定の作業をプレイさせる。事後接客内容選択部１７２は，そのときの事後接客において，どの作業をプレイするかを利用者に選択させるGUI画面を編集表示部８２に表示させ，タッチペン８３およびタッチパネル１４１を制御して，そのGUI画面に対して入力される利用者の選択指示を受け付け，その選択指示に従って，事後接客内容を決定し，その設定を保存する。
【０１４０】
　事後接客内容の設定が終了すると，
編集入力画面制御部１７３は，ステップＳ２３において，編集表示部８２に，撮影画像に対する落書き編集を利用者に入力させる編集入力画面を表示する。
【０１４１】
　図１４は，落書き編集入力画面の構成例を示す図である。図１４に示される落書き編集入力画面３００には，基本的に同じ組の２名の利用者が同時に落書き編集入力を行うことができるように，画面内の主な構成が，一部を除き２つずつ設けられている。以下においては，この２つを互いに区別して説明する必要がある場合，図中左側の構成は符号に「Ａ」を付して説明し，図中右側の構成は符号に「Ｂ」を付して説明する。左右の対になる構成を互いに区別して説明する必要のない場合，符号に「Ａ」も「Ｂ」も付さずに説明する。
【図１４】
　
【０１４２】
　図１４に示されるように，落書き編集入力画面３００には，組み合わせプリ作成領域３０１若しくは落書き編集入力領域３０２が表示される領域が左右２箇所設けられている。これらの領域横には，組み合わせプリタブ３０３および終了タブ３０４が設けられており，利用者が選択したタブに対応する領域が表示されるようになされている。
【０１４３】
　例えば，利用者が組み合わせプリタブ３０３を選択すると組み合わせプリ作成領域３０１が表示され，利用者が終了タブ３０４を選択すると落書き編集入力領域３０２が表示されるようになされている。より具体的に説明すると，図１４の例の場合，図中左側の領域において，組み合わせプリタブ３０３が選択されて組み合わせプリ作成領域３０３Ａが表示され，図中右側の領域において，終了タブ３０４Ｂが選択されて落書き編集入力領域３０２Ｂが表示されている。
【０１４４】
　
組み合わせプリ作成領域３０１は，組み合わせプリを作成する領域である。この組み合わせプリ作成領域３０１には，後述するように選択された組み合わせプリのレイアウトが表示される。つまり，組み合わせプリ作成領域３０１には，組み合わせ画像が表示される組み合わせ画像表示領域が表示される。
【０１４５】
　
これらの組み合わせ画像表示領域には，それぞれ，利用者に選択された画像が表示される。このように組み合わせプリ作成領域３０１において，組み合わせプリが作成される。
【０１４６】
　これに対して，落書き編集入力領域３０２は，利用者が撮影画像に対する落書き編集を入力する領域である。すなわち，落書き編集入力領域３０２は，利用者に選択された落書き編集対象画像が１枚表示され，その表示された編集対象画像に対して落書き編集が行われる領域である。
【０１４７】
　なお，この落書き編集入力領域３０２において，利用者が組み合わせプリに対する落書き編集を行うことができるようにしてもよい。
【０１４８】
　組み合わせプリ作成領域３０１や落書き編集入力領域３０２が表示される左右の領域の間には，サムネイル領域３０５が設けられている。サムネイル領域３０５には，撮影作業により得られた撮影画像の縮小（サムネイル）画像が表示される。このサムネイル領域３０５内に表示されるサムネイル画像は選択可能に構成されている。つまり，利用者が，このサムネイル画像の中から１枚を選択すると，その画像が，タッチペン８３に対応する側の落書き編集入力領域３０２に落書き編集対象画像として表示されたり，タッチペン８３に対応する側の組み合わせプリ作成領域３０１に組み合わせ画像として表示されたりする。
【０１４９】
　また，そのサムネイル領域３０５の左右には，組み合わせプリ作成領域３０１や落書き編集入力領域３０２における落書き編集の進行を制御するボタン等が設けられた領域である落書き編集制御領域３０６Ａおよび落書き編集制御領域３０６Ｂを有する。
【０１５０】
　さらに，サムネイル領域３０５の図中上側に設けられた終了管理領域３０７には，残り時間が表示され，さらに，強制的に編集作業を終了させるための終了ボタン３０８が設けられている。
【０１５１】
　また，サムネイル領域３０５の下側には，組み合わせプリ作成領域３０１Ａにおいて作成された組み合わせプリのサムネイル画像３１０Ａと，組み合わせプリ作成領域３０１Ｂにおいて作成された組み合わせプリのサムネイル画像３１０Ｂを表示する組み合わせプリ表示領域３０９が設けられている。この組み合わせプリ表示領域３０９に表示されるサムネイル画像３１０Ａおよびサムネイル画像３１０Ｂも，サムネイル領域３０５の場合と同様に，利用者によって選択可能としてもよい。つまり，例えば，利用者がサムネイル画像３１０Ａを選択すると，組み合わせプリ作成領域３０１Ａ（または落書き編集入力領域３０２Ａ）にそのサムネイル画像３１０Ａに対応する組み合わせプリが表示される。
【０１５２】
　なお，組み合わせプリ表示領域３０９に表示されるサムネイル画像３１０Ａやサムネイル画像３１０Ｂは，複数の組み合わせ画像を組み合わせた組み合わせプリであるので，利用者にとってより見やすくなるように，サムネイル領域３０５に表示されるサムネイル画像より大きく表示されるようにしてもよい。
【０１５３】
　落書き編集入力領域３０２の下には，落書き編集に利用される，落書きペンツールの機能一覧，スタンプツールの機能一覧，背景やフレームの一覧等が表示されるツール領域３１１が表示される。なお，組み合わせプリ作成領域３０１が表示されているとき，ツール領域３１１の位置には，利用者が組み合わせ画像のレイアウトパターンを選択するためのパターン表示領域３３１が表示される。
【０１５４】
　図１４の例においては，組み合わせプリ作成領域３０１Ａの下にパターン表示領域３３１Ａが表示され，落書き編集入力領域３０２の下にツール領域３１１Ｂが表示されている。
【０１５５】
　ツール領域３１１には，各ツールの機能一覧が選択可能に表示されており，利用者は，この領域に表示された機能を選択することにより，タッチペン８３にその機能を割り当てる。また，ツール領域３１１Ａとツール領域３１１Ｂとの間には，ツール領域３１１に機能一覧を表示させるツールを選択するための落書き入力ボタン群３１２が表示される。図１４の例においては，落書き入力ボタン群３１２として，スタンプツールを選択するスタンプボタン，背景画像の一覧をツール領域３１１に表示させる背景ボタン，フレーム画像の一覧をツール領域３１１に表示させるフレームボタン，および落書きペンツールを選択する落書きペンボタンが２つずつ設けられている。
【０１５６】
　パターン表示領域３３１には，予め用意された組み合わせ画像のレイアウトパターンのサンプル（候補）が複数，選択可能なサムネイル画像として表示されている。図１４においては，互いに異なるパターンに対応するサムネイル画像３４１Ａ乃至サムネイル画像３４４Ａが表示されている。また，パターン表示領域３３１には，利用者が操作することにより，サムネイル画像の選択の決定を示す決定ボタン３４５Ａも設けられている。
【０１５７】
　利用者がタッチペン８３を操作して，これらのサムネイル画像の中から１つを選択し，決定ボタン３４５を押下すると，その選択されたレイアウトパターンが組み合わせプリ作成領域３０１に表示される。図１４の例の場合，サムネイル画像３４１Ａが選択されている。なお，この決定ボタン３４５が操作されると，パターン表示領域３３１の表示がツール領域３１１の表示に切り替えられるようにしてもよい。
【０１５８】
　このような構成の落書き編集入力画面３００を用いて，利用者は，落書き編集作業や，組み合わせプリ作成作業を行う。
【０１５９】
　以上のような落書き編集入力画面３００を編集表示部８２に表示させると，編集入力画面制御部１７３は，ステップＳ２４において，編集部１１３のタッチパネル１４１やタッチペン８３を制御し，利用者による落書き編集入力画面３００に対する落書き編集入力の受け付けを開始する。
【０１６０】
　落書き編集部１７４は，ステップＳ２５において，編集入力画面制御部１７３により受け付けられた落書き編集入力に基づいて，各撮影画像に対する落書き編集処理を行う。例えば，利用者が，落書き編集入力画面３００において，終了タブ３０４を選択して落書き編集入力領域３０２を表示させ，サムネイル領域３０５に表示されたサムネイル画像の中から所望の撮影画像に対応するサムネイル画像を選択して落書き編集入力領域３０２にその撮影画像を落書き編集対象画像として表示させ，落書き入力ボタン群の所望のボタンを操作して所望の落書きツールを選択し，ツール領域に表示された機能を選択してタッチペン８３に割り当て，その落書き機能が割り当てられたタッチペン８３を用いて，落書き編集入力領域３０２に表示された落書き編集対象画像に落書き編集を入力する。落書き編集部１７４は，利用者によるこのようにして入力された落書き編集入力に基づいて，その落書き編集の画像情報を生成して撮影画像に重畳させたり，撮影画像そのものを加工したりして編集済み画像を生成する。
【０１６１】
　また，編集入力画面制御部１７３は，ステップＳ２６において，組み合わせプリの作成が選択されたか否かを判定する。例えば，各撮影画像に対する落書き編集の入力作業から，組み合わせプリの作成作業に切り替える場合，利用者は，落書き編集入力画面３００において組み合わせプリタブ３０３を操作し，組み合わせプリ作成領域３０１を表示させる。このような入力を検出し，利用者が組み合わせプリの作成を選択したと判定した場合，編集入力画面制御部１７３は，処理をステップＳ２７に進める。
【０１６２】
　組み合わせプリの作成が選択されると，パターン選択部１７５は，ステップＳ２７において，落書き編集入力画面３００のツール領域３１１にパターン表示領域３３１を表示させ，利用者に組み合わせパターンを選択させる。
【０１６３】
　利用者が，パターン表示領域３３１に表示されたサムネイル画像を選択することにより，組み合わせパターンを選択すると，その組み合わせパターンが組み合わせプリ作成領域３０１に表示される。
組み合わせ画像選択部１７６は，ステップＳ２８において，例えば案内音声をスピーカ８４より出力させるなどして，利用者に組み合わせ画像を選択させる。利用者は，サムネイル領域３０５に表示されたサムネイル画像を選択することにより，組み合わせ画像を選択し，それぞれを組み合わせ画像表示領域に表示させる。
【０１６４】
　このように，
組み合わせプリを構成する組み合わせ画像を全て選択すると，組み合わせプリ作成部１７７は，ステップＳ２９において，その利用者選択された複数の組み合わせ画像を，利用者に選択されたレイアウトに従って１つの編集画像（組み合わせプリ）を作成
【０１６５】
　組み合わせプリ落書き編集部１７８は，ステップＳ３０において，その組み合わせプリのサムネイル画像を組み合わせプリ表示領域３０９に表示する。なお，組み合わせプリ表示領域３０９にサムネイル画像が表示された組み合わせプリは，利用者がそのサムネイル画像を選択することにより，いつでも組み合わせプリ作成領域３０１または落書き編集入力領域３０２に表示させることができる。
【０１６６】
　編集入力画面制御部１７３は，ステップＳ３１において，組み合わせた１つの編集画像である組み合わせプリに対する落書き編集処理を行う。組み合わせプリを作成した利用者は，落書き編集入力画面３００において，他の撮影画像等と同様に，組み合わせプリに対しても落書き編集を行う。この組み合わせプリに対する落書き編集は，組み合わせプリ作成領域３０１において行われるようにしてもよいし，落書き編集入力領域３０２において行われるようにしてもよい。組み合わせプリ落書き編集部１７８は，編集入力画面制御部１７３により受け付けられた利用者からの落書き編集入力に基づいて，その落書き編集の画像情報を生成して組み合わせプリに重畳させたり，組み合わせプリそのものを加工したりして編集済み画像を生成する。
【０１６７】
　ステップＳ３１の処理を終了すると，編集入力画面制御部１７３は，処理をステップＳ３２に進める。また，ステップＳ２６において，組み合わせプリが選択されていないと判定した場合，編集入力画面制御部１７３は，処理をステップＳ３２に進める。
【０１６８】
　ステップＳ３２において，編集入力画面制御部１７３は，所定時間が経過したか，または，終了が指示されたか否かを判定し，所定時間が経過しておらず，かつ，終了が指示されていないと判定した場合，編集入力画面制御部１７３は，処理をステップＳ２５に戻し，それ以降の処理を繰り返す。
【０１６９】
　また，ステップＳ３２において，所定時間が経過した，または，利用者が終了ボタン３０８を操作するなどして終了が指示されたと判定した場合，編集入力画面制御部１７３は，処理をステップＳ３３に進め，落書き編集入力画面３００の表示を終了させると共に，編集入力の受け付けを終了する。
【０１７０】
　分割数選択部１７９は，ステップＳ３４において，編集表示部８２にGUI画面を表示させ，利用者に写真シールの印刷領域の分割数を選択させる。分割数を選択させると，分割数選択部１７９は，編集処理を終了し，図１２のステップＳ４に処理を戻し，ステップＳ５以降に処理を進める。
【０１７１】
　図１５は，以上のような編集処理により作成された組み合わせプリの例を示す図である。組み合わせプリ４０１は，図１４の組み合わせプリ作成領域３０１Ａに示されるレイアウトの例に基づいて，組み合わせ画像を組み合わせて作成された画像である。
【図１５】
【０１７２】
　組み合わせプリ４０１においては，背景画像に３枚の組み合わせ画像が互いに重なるように配置されている。そして，各組み合わせ画像は，互いに異なる編集済み画像により構成される。つまり，各組み合わせ画像は，それぞれ，互いに独立して編集されている。そして，それらの組み合わせ画像が１枚の組み合わせプリとしてまとめられた後，さらに落書き編集されている。例えば，組み合わせ画像表示領域３２１Ａの位置に配置された組み合わせ画像内の「なかよちこよち」の落書きや，組み合わせ画像表示領域３２２Ａの位置に配置された組み合わせ画像内の「超マブなり」の落書き等は，それぞれ，組み合わせ画像毎に行われた落書きである。これに対して，組み合わせプリ４０１の画像範囲内上側にある「うちら  まぢ仲子」の落書きや，画像範囲内下側の「ダチ  命」の落書きや，組み合わせ画像表示領域３２１Ａの位置に配置された組み合わせ画像の端と背景部分に跨って書き込まれたハートマークや顔の絵柄等は，組み合わせプリ４０１に対して行われた（組み合わせプリ４０１を１枚の落書き編集対象画像として行われた）落書きである。
【０１７３】
　このように，組み合わせプリは，
複数の組み合わせ画像（撮影画像や編集済み画像等）
　キ　上記アないしカから，引用例１には次の発明が記載されているものと認められる。
「カメラ及び編集表示部を備えた写真シール作成装置であって，
　前記編集表示部は，撮影画像が表示される組み合わせ画像表示領域及び背景画像が表示され撮影画像が配置されていない領域からなる組み合わせプリ作成領域を有する落書き編集入力画面を表示するものであり，
　撮影画像利用者に対して撮影処理を行い，撮影画像を得る撮影処理部と，
　前記編集表示部に落書き編集入力画面を表示させる編集入力画面制御部と，
　利用者に組み合わせ画像（撮影画像や編集済み画像等）を選択させる組み合わせ画像選択部と，
　利用者に選択された複数の組み合わせ画像から１つの編集画像（組み合わせプリ）を作成する組み合わせプリ作成部と
　を有する写真シール作成装置。」（以下「引用発明」という。）
　（２）引用例２
　本件の出願前に頒布された刊行物である引用例２には，次の事項が記載されている。
　ア「【技術分野】
【０００１】
　本発明は，
デジタルカメラ
に関する
「【００２４】
　図５はこのカメラ１０の背面外観を示す図である。カメラ背面の中央には大型液晶部（ＬＣＤ）からなる表示手段９の表示画面１９が配置され，表示画面１９の右上にはスイッチ１２に含まれる十字キースイッチ１２ａが配置される。この表示画面１９には，一枚の写真を全画面表示させて鑑賞するようにしてもよいし，図５で示すように複数の画面，例えばメイン画面１９ａとサブ画面１９ｂの２つの画面を表示するようにしてもよい。詳細は後述する。また，カメラからプリント１１へプリントするの際には，確認のために表示画面１９にはプリント予定画像が表示される。
【図５】
【００２５】
　図６及び図７は，本発明実施例１の画面表示例である。この図で表示される画面は，上記図２（Ｂ）や（Ｃ）で説明したような複数画像（シーン）が配置された画面で，再生時の鑑賞態様を予定して撮影される際の，表示画面である。詳しくは，撮影される画像（モニタ画像）が再生表示される大きさで表示され，また再生時の表示予定位置を示す情報が表示され，また撮影時の推奨構図も同時に表示され，あるいは再生時（鑑賞時）に現モニタ画像による撮影画像と同時に表示される他の画像も合わせた複数画像（シーン）が再生時と同様なレイアウトで表示される。
【図６】
【図７】
【００２６】
　なお，ここで画面に表示される撮影支援用の画像を「テンプレート」と呼ぶ。そして，これらの表示制御は，ＣＰＵ１の処理による表示制御手段（表示制御部）によって行われる。
【００２７】
　図６は，２種類のテンプレートを示す図である。まず，図６（Ａ），（Ｂ），（Ｃ）は，いずれもテンプレートＡを用いての撮影及び再生で，表示手段９に表示される各画面を示す。このテンプレートＡは，再生時に同時に３つの画面を表示させるテンプレートであるとともに，鑑賞時に楽しいと考えられる写真を撮影画像に付帯させるためのテンプレートである。
【００２８】
　図６（Ａ）は，テンプレートＡの紹介用の画面を示す図である。撮影時にテンプレートＡを選択すると，まずこの画面が表示される。画面には複数のシーンとして，３つのサブ画面１９ｃ，１９ｄ，１９ｅが表示される。画面中央のサブ画面１９ｄには，おすすめ構図として，例えば２人一緒の構図を示すサンプル画像が表示される。画面左右のサブ画面１９ｃ，１９ｅには，例えば撮影者二人の好きな写真のはめ込みを薦めるようなサンプル画像が表示される。なお，サブ画面１９ｄが太枠で囲われるが，これは3つの画面のうちサブ画面１９ｄが撮影画面に選択されていることを示す。詳細は後述する。
【００２９】
　図６（Ｂ）は，テンプレートＡの選択後に実際に撮影する時の画面を示す図である。モニタ画像（被写体画像）とともに撮影構図を支援するための表示がされる。
大きな面積のメイン画面１９ａには撮影時の被写体画像（以降モニタ画像とも称す）が表示される。画面右下のサブ画面１９ｄには，2人で撮影する場合のおすすめの構図である構図画像がサンプル画像として表示される。
【００３０】
　
そして撮影指示により，被写体画像がＣＰＵ１の処理による記録制御手段により記録部７ａに記録される。次に，画面左右のサブ画面１９ｃ，１９ｅ用の画像を，その後それぞれ撮影を行って記録する。
【００３１】
　これにより，例えば二人一緒の写真と左右に二人の好きなものの写真が付帯配置された合成の画像が記録される。
【００３２】
　図６（Ｃ）は，同図（Ｂ）で撮影された画像の再生画面を示す図である。画面レイアウトは，同図（Ａ）で示されたようになっている。
画面中央のメイン画面１９ａには，同図（Ｂ）で撮影された被写体画像が表示され，その左右の小さなサブ画面１９ｃ，１９ｅには，その前後に撮影された例えば二人の好きなものの写真が表示される
　ウ　上記ア及びイからみて，引用例２には，
「表示手段を有するデジタルカメラであって，
　撮影時には，大きな画面のメイン画面１９ａに撮影時の被写体画像が表示され，画面右下のサブ画面１９ｄには２人で撮影する場合のおすすめの構図である構図画像がサンプル画像として表示され，
　撮影指示により，被写体画像が記録部７ａに記録され，サブ画面１９ｃ，１９ｅ用の画像がそれぞれ撮影及び記録され，
　撮影された画像の再生画面では，画面中央のメイン画面１９ａに前記被写体画像が表示され，その左右の小さなサブ画面１９ｃ，１９ｅにその前後に撮影された写真が表示されるデジタルカメラ。」（以下「引用例２の記載事項という」。）が記載されているものと認められる。
第５　当審の判断
　１　特許法第２９条第２項について
　（１）対比
　本件発明１と引用発明とを対比する。
　ア　引用発明の「利用者」，「撮影処理部」，「撮影画像」，「編集表示部」，「組み合わせプリ」及び「組み合わせ画像表示領域」は，それぞれ本件発明１の「被写体」，「第１撮影制御手段」，「第１写真画像」，「レイアウト表示手段」，「コラージュ合成画像」及び「第１配置領域」に相当する。
　本件発明１の「第３写真画像」は，発明の詳細な説明に直接的な記載はないものの，請求項１の記載によれば，第１配置領域に配置された第１写真画像と，第２配置領域に配置された第２写真画像から自動生成されているから，「コラージュ合成画像」のことであると認められる。そうすると，引用発明の「組み合わせプリ」は，本件発明１の「第３写真画像」にも相当し，引用発明の「組み合わせプリ作成部」は，本件発明１の「生成手段」に相当する。
　また，本件発明１の「レイアウト表示手段」は，発明の詳細な説明に直接的な記載はないものの，請求項１の記載によれば，「レイアウト画像」を表示する手段であるから，撮影時にレイアウト画像が表示される「撮影用ディスプレイ１１」及び編集時にレイアウト画像が表示される「編集用ディスプレイ４０」を指しているものと認められる。してみれば，引用発明において，編集時に落書き編集入力画面が表示される「編集表示部」は，本件発明１の「レイアウト表示手段」に相当する。
　また，引用発明の「写真シール作成装置」は，写真シール作成ゲームをするのであるから，本件発明１の「写真撮影遊技機」に相当する。
　イ　引用発明の「撮影処理部」がカメラを制御することは，段落【０１０３】の「カメラ７１は，制御装置１０１（当審注：図９にも示されるように，「制御装置１０１」は，「撮影処理部１６３」を含んでいる）より供給されるシャッタ制御信号に基づいて，メカシャッタを動作させる等して，撮影画像の取得を行う」との記載からも明らかである。また，引用発明は，複数の「撮影画像」を組み合わせ画像として利用するのであるから，引用発明の「利用者に対して撮影処理を行い，撮影画像を得」る「撮影処理部」（本件発明１の「第１撮影制御手段」に相当）は，本件発明１の「カメラを制御して被写体を撮影し，複数の第１写真画像を生成する」との要件を満たしている。
　ウ　本件発明１の「第２撮影制御手段」について，本件明細書の発明の詳細な説明では，具体的な定義は記載されていないが，請求項１及び発明の詳細な説明の記載を参酌しつつ検討すると，当該「第２撮影制御手段」とは，概ね次のような手段であると認められる。
　請求項１では，「第２の撮影制御手段」について，「前記カメラを制御して前記被写体全体を撮影し，前記第２写真画像を生成する」ことが特定されている。また，「第２写真画像」については，当該請求項１において，「コラージュ合成画像専用の第２写真画像」との記載があるが，本件明細書には，「コラージュ合成画像専用」について直接的に定義づける記載は存在しない。そこで，まず，当該「コラージュ合成画像専用の第２写真画像」との特定が，どのような意味を有するのかについて検討する。
　写真シールの模式図を示す本件の図１０の矩形領域８５２Ｌには，矩形領域８５２Ｒに表示されるコラージュ合成画像のうち，通常合成画像が配置される複数の配置領域に配置された複数の「第１写真画像」に対応する写真は存在しているものの，コラージュ合成画像の中心に位置する（１枚の）「第２写真画像」に対応する写真は存在していない。
【図１０】
　
　さらに，明細書の段落【０００７】には，本件発明が解決しようとする課題として，「特許文献１に開示された方法では，撮影処理で生成された複数の画像の中から，編集処理において，プレイヤがいくつかの画像を選択し，組合せる。そのため，組合せ画像の生成に時間がかかる。
さらに，『組合せプリ』画像は，各々が独立した複数の画像を組み合わせるものであり，『組合せプリ』専用の画像は存在しない。そのため，組合せた画像のイメージが異なってしまったり，全体として統一感が薄れたものになってしまったりする場合がある。
　これら記載からみて，本件発明１における「コラージュ合成画像専用の第２写真画像」とは，単体の写真としては印刷されることはない写真，すなわち，もっぱらコラージュ合成画像を作成することのみに用いられる写真画像を意味すると解するのが自然である。
　そうすると，本件発明１における「第２撮影制御手段」とは，「第２写真画像」を撮影することに特化した（「第１撮影制御手段」とは別の）撮影制御手段であると認められる（なお，「第１撮影制御手段」によって撮影される「第１写真画像」は，コラージュ合成画像を作成すること以外にも利用されるものと認められる。このことは，図１０において，矩形領域８５２Ｌに，第１撮影制御手段によって撮影された６枚全ての第１写真画像が存在していることからも裏付けられる。）。
　一方，引用発明は，「第１撮影制御手段」とは別の特別な撮影制御手段を有していない。
　エ　引用発明の「第１配置領域（組み合わせ画像表示領域）」が複数あることは，引用発明の「複数の撮影画像や編集済み画像を組み合わせて利用し，落書き編集や写真シールへの印刷を行うことができるようにすることにより，娯楽性を向上させて利用者の満足度を向上させ，収益性を向上させるようにする」（引用例１の段落【００１２】）という目的からみても，また図１０，１５の記載等からみても明らかである。
　また，引用発明の「組み合わせプリ作成領域」は，「組み合わせ画像表示領域」（本件発明１の「第１配置領域に相当」）及び「背景画像」を有するのであるから，引用発明の「編集表示部」には，本件発明１の（「第２配置領域」を有しないものとしての）「レイアウト画像」に相当するものが表示されていることは明らかである。
　さらに，編集表示部に表示される「レイアウト画像」に相当するものが，「撮影画像」よりも大きくなることもまた明らかである。
　してみれば，引用発明の「撮影画像」が表示される「組み合わせ画像表示領域」及び「背景画像」が表示された「編集表示部」（本件発明１の「レイアウト表示手段」に相当）は，本件発明１の「第１写真画像が配置される複数の第１配置領域と，背景画像とを有し，前記第１写真画像よりも大きな画像サイズを有するレイアウト画像を表示する」との要件を満たしている。
　オ　本件発明１では，「被写体による前記第１写真画像及び第２写真画像を配置する操作を介さずに」と特定されている。本件明細書の発明の詳細な説明では，「操作を介さ」ないとはどのような技術手段を指し示すのか，具体的に定義されてはいないところ，当該記載がどのような手段であるのかについて，本件明細書の発明の詳細な説明の記載を参酌して検討する。
　段落【０００７】には，特許文献１（当審注：本決定における引用例１）を引用しつつ，以下のように記載されている。
「特許文献１において開示された方法では，
撮影処理で生成された複数の画像の中から，編集処理において，プレイヤがいくつかの画像を選択し，組合せる。そのため，組合せ画像の生成に時間がかかる。
　さらに，本件明細書における【発明を実施するための形態】（以下「本件発明の実施形態」という。）の開示を参照すると，段落【００７２】〜【００７６】において，第１〜第４回目の撮影が行われ，４枚の通常写真画像（第１写真画像）を得ることが記載され，段落【００８９】には，仮のコラージュ合成画像は，第１〜第４回の撮影で得られた４枚の通常写真画像を用いて作成されることが記載されている。そして，仮のコラージュ合成画像を作成した後に，コラージュ合成画像に用いる画像を選択し直したり，又は他の画像に差し替える旨の記載は存在していないから，最終的に生成されるコラージュ合成画像も，第１〜第４回の撮影で得られた通常写真画像を用いて作成されているものと認められる。さらに，コラージュ合成画像用写真画像（第２写真画像）も，１枚のみ撮影され，コラージュ合成画像にどの画像を利用するのかを選択する手順は存在していない。
　してみると，本件発明にいう「配置する操作を介さ」ないとは，コラージュ合成画像にどの写真画像を用いるのか，どの位置にその写真画像を配置するのか（どのように組み合わせるのか）について「選択」する操作を要しない，との意味であると解される。
　一方，引用発明では，「コラージュ合成画像（組み合わせプリ）」にどの画像を利用するのかについて，選択する手段が存在している。
　カ　上記第４（１）キで認定したように，引用発明における「組み合わせプリ作成領域」は，「背景画像が表示され撮影画像が配置されていない領域」とともに「撮影画像が表示される組み合わせ画像表示領域」を有しており，「組み合わせプリ作成部」では，「複数の組み合わせ画像（撮影画像や編集済み画像等）」から「１つの編集画像（組み合わせプリ）」を作成するのであるから，引用発明の「組み合わせプリ作成部」（本件発明１の「生成手段」に相当）は，「第１写真画像を第１配置領域に配置し，第３写真画像を生成する」との要件を満たす。
　キ　上記アないしカから，本件発明１と引用発明とは，
「カメラを備えた写真撮影遊技機であって，
前記カメラを制御して被写体を撮影し，複数の第１写真画像を生成する第１撮影手段と，
第１写真画像が配置される複数の第１配置領域と，背景画像とを有し，前記第１写真画像よりも大きな画像サイズを有するレイアウト画像を表示するレイアウト表示手段と，
第１写真画像を第１配置領域に配置し，第３写真画像を生成する生成手段と，
を備える写真撮影遊技機」
である点で一致し，次の点で相違する。
　相違点１：
　本件発明１では，カメラを制御して被写体全体を撮影し，第２写真画像を生成する第２撮影制御手段を有し，かつ，レイアウト表示手段によって表示されるレイアウト画像は，コラージュ合成画像専用の第２写真画像が配置される第２配置領域を有するのに対し，
　引用発明では，第１撮影制御手段と別個の撮影制御手段を有しておらず，かつ，レイアウト表示手段によって表示されるレイアウト画像は，コラージュ合成画像専用の第２写真画像が配置される第２配置領域を有していない点。
　相違点２：
　本件発明１では，第３写真画像を自動生成するのにあたり，被写体による第１写真画像及び第２写真画像を配置する操作を介さないのに対し，引用発明では，第１写真画像を配置する操作を介している点。
　相違点３：
　本件発明１では，第３写真画像を自動生成する生成手段において，複数の第１写真画像のうちの一部の枚数の第１写真画像が用いられるのに対し，引用発明では，この点が明らかでない点。
　（２）判断
　ア　上記相違点１について検討する。
　（ア）引用発明では，コラージュ合成画像専用である第２写真画像を撮影するための第２撮影制御手段を，第１撮影制御手段と別途設けることについては記載されていない。また，引用例１の全記載をみても，コラージュ合成画像専用である第２写真画像を利用することや，前記第２写真画像を撮影するための第２撮影制御手段を設けることの動機や示唆となるような記載も発見できない。
　（イ）引用例２の記載事項（上記第４（２）ウを参照）は，デジタルカメラに関するものであって，表示手段を有し，前記表示手段に表示される画面としてメイン画面とサブ画面を有し，撮影によって得られた画像を前記メイン画面と前記サブ画面に表示するものである。しかし，引用例２においては，メイン画面の画像をコラージュ合成画像専用とすることは記載されていない。また，本件発明１の第２撮影制御手段は，「被写体全体」を撮影するものであるが（すなわち，第２撮影制御手段は，もっぱら「被写体全体」を撮影することに特化したものであると認められる），引用例２において，メイン画像の撮影を行う時に，「被写体全体」を撮影するように制御されることは記載されていない。したがって，引用発明に引用例２の記載事項を組み合わせても，相違点１に係る本件発明１の構成とはならない。
　（ウ）してみると，引用発明において，上記相違点１に係る本件発明１の構成となすことが，当業者が引用発明及び引用例２の記載事項に基づいて容易になし得たものであるということはできない。
　（エ）なお，特許異議申立人は，引用例１の図１０Ｂを参照しつつ，「よって，甲１号証には，第１写真画像２１１，２１３が配置される第１配置領域と，コラージュ合成画像専用の第２写真画像２１２が配置される第２配置領域と，背景画像（２１１乃至２１３が配置されない領域）とを有し，前記第１写真画像よりも大きな画像サイズを有するレイアウト画像が開示されている。」と主張している。
　しかし，引用例１の段落【０１１８】には，「例えば，図１０Ｂに示されるように，組み合わせプリ２０２の画像領域内には，撮影画像２１１乃至撮影画像２１３が配置される。このように，組み合わせプリは，複数の組み合わせ画像を組み合わせて生成され，その画像領域内に複数の組み合わせ画像を有する１枚の画像であり，他の撮影画像と同様に，１枚の編集対象画像として利用される画像である。」と記載されているように，引用例１では，撮影画像２１１，２１３と，撮影画像２１２とは，特に区別されておらず，したがって，撮影画像２１１，２１３がコラージュ合成画像専用でなく，撮影画像２１２のみがコラージュ合成画像専用となることが記載されているものとも認められず，またそのようにすることの示唆もない。
　（オ）また，異議申立人は，「・・・甲１発明は『カメラを制御して前記被写体全体を撮影し，前記第２写真画像を生成する第２撮影制御手段』を有している。」と述べている。
　しかし，上記（１）ウ及び上記（イ）で検討したとおり，本件発明１における「第２撮影制御手段」は，コラージュ合成画像専用でありかつ「被写体全体」を撮影した「第２写真画像」を撮影することに特化した，「第１撮影制御手段」とは別の手段であると認められる。引用発明には，このようなコラージュ合成画像専用でありかつ「被写体全体」を撮影した「第２写真画像」を撮影することに特化した撮影制御手段を設けることについては記載も示唆もされていない。
　（カ）また，異議申立人は，「第１写真画像と第２写真画像の撮影制御手段を区別するが，これは，請求項１にあっては，第１写真画像の”画像と配置領域”と第２写真画像の”画像と配置領域”を区別することと推認される。」と述べている。しかし，本件発明においては，第１写真画像は，明細書の段落【００７３】〜【００８１】及び図１６〜１８において説明されているような制御で撮影され，第２写真画像は，段落【００８２】〜【００９０】及び図１９〜２２において説明されるような制御で撮影されている。すなわち，第１撮影制御手段と第２撮影制御手段とは，単に「画像と配置領域」を区別しているのではなく，第１写真画像の撮影と第２写真画像の撮影を行うにあたって，撮影制御手段それ自体が区別されている（別の撮影制御手段が準備されている）ことを意味しているものと認められる。
　（キ）また，異議申立人は，「・・・甲２号証の発明において，メイン画面１９ａとサブ画面１９ｃ，１９ｄが区別されている。メイン画面の画像が本件発明のコラージュ専用画像に相当し，サブ画面の画像が通常画像に相当することは明らかで，メイン画面の画像とサブ画面の画像を区別している。なお，図１１にも，メイン画像と２つのサブ画像からなるコラージュ画像が示されている（段落0058）。・・・したがって，引用文献２に開示されるコラージュ技術を，コラージュ技術分野の発明である甲１発明と組み合わせて本件発明１は，当業者により容易に想到されたものである。」と主張している。
　しかし，引用例２においては，メイン画面の画像をコラージュ合成画像専用とすることは記載されていないこと，メイン画像の撮影を行う時に，「被写体全体」を撮影するように制御されることが記載されていないことは，上記（イ）で検討したとおりである。
　イ　相違点２，３について検討する。
　（ア）引用例１の全記載をみても，第１写真画像を配置する操作を介さないようにすることについて，動機や示唆となるような記載は発見できない。
　（イ）また，本件発明１においては，第１写真画像を配置する操作を介さないにもかかわらず，撮影された複数の第１写真画像のうちの一部の枚数のみが，第３写真画像の生成に用いられることも特定されている（相違点３）。すなわち，本件発明１においては，第３写真画像に使われないことが確定している第１写真画像をも取得することが暗に特定されていることとなる。
　（ウ）しかし，引用例１の全記載をみても，そのような構成は採用されていないばかりか，そのような構成を採用する動機となる記載も，示唆となる記載も存在していない。また，そのような動機の存在を根拠付けるような技術常識が存在するとも認められない。
　（エ）してみると，引用発明において，上記相違点２及び３に係る本件発明１の構成となすことは，当業者が容易になし得たものということはできない。
　（３）本件発明２について
　本件発明１が，引用例１ないし２に記載された発明に基づいて当業者が容易に発明をすることができたものであるといえないのであるから，本件発明１の発明特定事項をすべて含み，さらに他の発明特定事項を付加した本件発明２も同様に，引用例１ないし２に記載された発明に基づいて当業者が容易に発明をすることができたものであるといえない。
　（４）本件発明３，４について
　本件発明１が，引用例１ないし２に記載された発明に基づいて当業者が容易に発明をすることができたものであるといえないのであるから，本件発明１の発明特定事項を事実上すべて含み，実質的にみて，本件発明１とは単に発明のカテゴリーが異なるにすぎない本件発明３についても同様に，引用例１ないし２に記載された発明に基づいて当業者が容易に発明をすることができたものであるといえない。また，本件発明３のステップを実行させる制御プログラムに係る本件発明４についても同様に，引用例１ないし２に記載された発明に基づいて当業者が容易に発明をすることができたものであるといえない。
　２　特許法第３６条第４項第１号について
　（１）請求項１に係る発明（本件発明１）
　請求項１には，以下のように記載されている。
「【請求項１】
　カメラを備えた写真撮影遊戯機であって，
　前記カメラを制御して被写体を撮影し，複数の第１写真画像を生成する第１撮影制御手段と，
　第１写真画像が配置される複数の第１配置領域と，コラージュ合成画像専用の第２写真画像が配置される第２配置領域と，背景画像とを有し，前記第１写真画像よりも大きな画像サイズを有するレイアウト画像を表示するレイアウト表示手段と，
　前記カメラを制御して前記被写体全体を撮影し，前記第２写真画像を生成する第２撮影制御手段と，
　前記被写体による前記第１写真画像及び前記第２写真画像を配置する操作を介さずに，前記複数の第１写真画像のうちの一部の枚数の第１写真画像を前記第１配置領域に配置し，前記第２写真画像に含まれる被写体全体を前記第２配置領域に配置した第３写真画像を自動生成する生成手段と，
　を備える写真撮影遊戯機。」
　（２）請求項１の上記記載のうち，「前記被写体による前記第１写真画像及び前記第２写真画像を配置する操作を介さずに」との事項は，上記第５の１（１）オで検討したように，第１写真画像や第２写真画像について，コラージュ合成画像にどの写真画像を用いるのか，また，どの位置にその写真画像を配置するのかについて「選択」する操作を要しないことを意味しているものと解される。
　そして，本件明細書の発明の詳細な説明においては，第１〜第４回目の撮影により得られた通常写真画像（第１写真画像）を元に作成された通常合成画像が，配置等について選択されることなくコラージュ合成画像（第３写真画像）に利用され，コラージュ合成画像用の写真画像についても，配置等について選択されることなくコラージュ合成画像に利用される実施形態が記載されている（段落【００８２】〜【０１１６】を参照）。
　してみれば，本件発明１のうち，上記「前記被写体による前記第１写真画像及び前記第２写真画像を配置する操作を介さずに」との事項について，発明の詳細な説明は，当業者がその実施をすることができる程度に明確かつ十分に記載されたものである。
　（３）そして，本件発明１のうち，（２）で検討した以外の部分についても，発明の詳細な説明は，当業者がその実施をすることができる程度に明確かつ十分に記載されたものと認められる。
第６　むすび
　したがって，特許異議申立ての理由及び証拠によっては，請求項１ないし４に係る特許を取り消すことはできない。
　また，他に請求項１ないし４に係る特許を取り消すべき理由を発見しない。
　よって結論のとおり決定する。
【異議決定日】
平成２８年３月２９日（２０１６．３．２９）